(57)【要約】【課題】梱包工数を削減して作業効率を高めることができるとともに、積載効率を高めて放電ランプの輸送本数を増やすことができる放電ランプの梱包方法を提供すること。【解決手段】複数本（ａ本）の放電ランプ１を伸縮性の高いストレッチフィルム２で締め上げて束ねることによってランプ束３を作製し、長手方向両端部に滑り止め材４が取り付けられたダンボールパッド５上に複数（ｂ）の前記ランプ束３を載置して両者を伸縮性の高いストレッチフィルム６で締め上げて束ねることによって（ａ×ｂ）本の放電ランプ１を備えるランプ組７を作製し、複数（ｃ）の前記ランプ組７をダンボールパッド８,９上に並べて梱包箱１１内に複数段（ｄ段）に積み重ねて収容することによって（ａ×ｂ×ｃ×ｄ）本の放電ランプ１を梱包する。【選択図】図１
2011195186.tif 000002
【特許請求の範囲】
【請求項１】
複数本（ａ本）の放電ランプを伸縮性の高いストレッチフィルムで締め上げて束ねることによってランプ束を作製し、
長手方向両端部に滑り止め材が取り付けられたダンボールパッド上に複数（ｂ）の前記ランプ束を載置して両者を伸縮性の高いストレッチフィルムで締め上げて束ねることによって（ａ×ｂ）本の放電ランプを備えるランプ組を作製し、
複数（ｃ）の前記ランプ組をダンボールパッド上に並べて梱包箱内に複数段（ｄ段）に積み重ねて収容することによって（ａ×ｂ×ｃ×ｄ）本の放電ランプを梱包することを特徴とする放電ランプの梱包方法。
【発明の詳細な説明】
【技術分野】
【０００１】
本発明は、摩擦抵抗が小さいガラス製の放電ランプの梱包方法に関するものである。
【背景技術】
【０００２】
冷陰極蛍光管（ＣＣＦＬ）等の放電ランプは、摩擦抵抗が小さい細長いガラス管で構成されているため、輸送時の振動によって梱包箱内で動き、その長手方向両端から突出するリード線が曲がる等の不具合が発生する可能性があり、その梱包には工夫を要する。ここで、図２（ａ）〜（ｅ）に放電ランプの従来の梱包方法を示す。
【０００３】
即ち、図２（ａ）〜（ｅ）は放電ランプの従来の梱包方法をその工程に沿って示す斜視図であり、輸送に際して多数の放電ランプ１０１を梱包するには、先ず、図２（ａ）に示すように、摩擦抵抗の大きなシート１０２によって放電ランプ１０１を例えば１０本ずつ束にして「の」の字状に巻き、図２（ｂ）に示すように各１０本ずつの束を例えば５つ束ね、これらの長手方向３箇所に接着テープ１０３を巻き付けてロール１０４を作製する。従って、このロール１０４には、１０×５＝５０本の放電ランプ１０１が組み込まれていることになる。
【０００４】
次に、図２（ｃ）に示すように、上記ロール１０４にクッション性の高いウレタンマット１０５を巻き、その長手方向３箇所に接着テープ１０６を巻き付けてウレタンマット１０５を固定する。このとき、ウレタンマット１０５の幅寸法は放電ランプ１０１の長さよりも広く、これをロール１０４に巻き付けた状態では該ウレタンマット１０５の中に放電ランプ１０１の全体が収納され、放電ランプ１０１の長手方向両端から突出するリード線１０１ａが他の物に接触して曲がるという不具合が発生することがない。
【０００５】
上述のようにロール１０４にウレタンマット１０５が巻き付けられて固定されると、このウレタンマット１０５が巻き付けられたロール１０４を図２に示すようにダンボール製の内装箱１０７に例えば横に４本並べて収容し、同様の内装箱１０７を例えば２段積みして図２（ｅ）に示すダンボール製の梱包箱１１１に収納した後、梱包箱１１１の上面の蓋を接着テープ１１２で密封すれば、計５０×８＝４００本の放電ランプ１０１の梱包が完了する。尚、本例のように４００本の放電ランプ１０１を収容する梱包箱１１１のサイズは縦Ｌ：１４２０ｍｍ×幅Ｂ：２７０ｍｍ×高さＨ：１８０ｍｍである。
【０００６】
ところで、放電ランプ等の梱包方法に関しては特許文献１〜３等において種々の提案がなされている。
【先行技術文献】
【特許文献】
【０００７】
【特許文献１】ＷＯ２００８／１０８０５２号公報
【特許文献２】特開２００５−０２２７５１号公報
【特許文献３】特開２００５−３０６４７４号公報
【発明の概要】
【発明が解決しようとする課題】
【０００８】
しかしながら、図２（ａ）〜（ｅ）に示した放電ランプの従来の梱包方法では、摩擦抵抗の小さな放電ランプ１０１の輸送時の振動による移動を防ぐために１０本ずつの束に分けてこれらを摩擦抵抗の大きなシート１０２で「の」の字状に巻き付ける必要があるため、梱包に多くの時間と工数を要する他、摩擦抵抗を上げるために多くの部材を使用しているために積載効率が悪く、一度に輸送することができる放電ランプ１０１の本数が少ないという問題があった。
【０００９】
又、放電ランプ１０１の各１０本ずつの束を５つ束ねてロール１０４を作製する際に巻き付けられる接着テープ１０３やウレタンマット１０５に巻き付けられる接着テープ１０６が伸縮性に乏しいものであったため、これらの接着テープ１０３,１０６が輸送時の振動によって緩んで締付力が弱くなり、輸送中に放電ランプ１０１が梱包箱１１１内で移動し易いという問題もあった。
【００１０】
本発明は上記問題に鑑みてなされたもので、その目的とする処は、梱包工数を削減して作業効率を高めることができるとともに、積載効率を高めて放電ランプの輸送本数を増やすことができる放電ランプの梱包方法を提供することにある。
【課題を解決するための手段】
【００１１】
上記目的を達成するため、本発明に係る放電ランプの梱包方法は、
複数本（ａ本）の放電ランプを伸縮性の高いストレッチフィルムで締め上げて束ねることによってランプ束を作製し、
長手方向両端部に滑り止め材が取り付けられたダンボールパッド上に複数（ｂ）の前記ランプ束を載置して両者を伸縮性の高いストレッチフィルムで締め上げて束ねることによって（ａ×ｂ）本の放電ランプを備えるランプ組を作製し、
複数（ｃ）の前記ランプ組をダンボールパッド上に並べて梱包箱内に複数段（ｄ段）に積み重ねて収容することによって（ａ×ｂ×ｃ×ｄ）本の放電ランプを梱包することを特徴とする。
【発明の効果】
【００１２】
本発明によれば、常に締付力が発生する伸縮性の高いストレッチフィルムで多数の放電ランプを締め上げてランプ束を作製することができるため、作業工数が削減されて作業効率が高められる。又、このようにして作製されたランプ束を長手方向両端部に滑り止め材が取り付けられたダンボールパッド上に複数載置し、両者を伸縮性が高くて常に締付力が発生するストレッチフィルムで締め上げて束ねることによってランプ組を作製するようにしたため、各ランプ組のダンボールパッドに対する移動が確実に阻止され、輸送中の振動によって放電ランプが梱包箱内で移動してリード線が曲がる等の不具合が発生することがない。
【００１３】
更に、摩擦抵抗を上げるために多くの部材を使用しないために積載効率が高められ、一度に輸送することができる放電ランプの本数が増えて輸送効率が高められる。
【図面の簡単な説明】
【００１４】
【図１】（ａ）〜（ｄ）本発明に係る放電ランプの梱包方法をその工程に沿って示す斜視図である。
【図２】（ａ）〜（ｅ）は従来の放電ランプの梱包方法をその工程に沿って示す斜視図である。
【発明を実施するための形態】
【００１５】
以下に本発明の実施の形態を添付図面に基づいて説明する。
【００１６】
図１（ａ）〜（ｄ）は本発明に係る放電ランプの梱包方法をその工程に沿って示す斜視図であり、輸送に際して多数の放電ランプ１を梱包するには、先ず、図１（ａ）に示すように、５０本の放電ランプ１（図１には５０本を描いていない）を束にしてその長手方向２箇所を伸縮性の高いストレッチフィルム２で締め上げることによってランプ束３を作製する。ここで、ストレッチフィルム２は、伸縮性が高くて常に締付力を発生するものであって、これには例えばポリ塩化ビニル（ＰＶＣ）樹脂フィルムやポリオレフィン（ＰＯ）樹脂フィルム等が使用される。
【００１７】
次に、図１（ｂ）に示すように、長手方向両端部に滑り止め材４が幅方向に取り付けられた矩形のダンボールパッド５上に２つの前記ランプ束３を横２列に並べて載置し、両者をその長手方向２箇所において伸縮性の高いストレッチフィルム６で締め上げて束ねることによって計１００（＝５０×２）本の放電ランプ１を備えるランプ組７を作製する。ここで、ダンボールパッド５の長さ（縦方向長さ）は放電ランプ１の長さよりも長く設定されており、各放電ランプ１の長手方向両端から突出するリード線１ａがダンボールパッド５の外へ突出していない。
【００１８】
次に、図１（ｃ）に示すように、３組の前記ランプ組７をクッション性の高い矩形のダンボールパッド（下パッド）８上に横方向に並べて載置し、その上に別のダンボールパッド（中パッド）９を載せ、この中パッド９の上に別の３組のランプ組７を横方向に並べて載置し、その上に更に別のダンボールパッド（上パッド）１０を重ねる。そして、このように３列ずつ上下２段に重ねられた計６組のランプ組７を図１（ｄ）に示すダンボール製の梱包箱１１に収容し、最後に梱包箱１１の上面の蓋を閉じて接着テープ１２で密封することによって、計６００（＝１００×６）本の放電ランプ１を梱包箱１１内に収容して梱包することができる。
【００１９】
以上のように、本発明によれば、常に締付力が発生する伸縮性の高いストレッチフィルム２で多数（５０本）の放電ランプ１を締め上げてランプ束３を作製することができるため、作業工数が削減されて作業効率が高められる。そして、このようにして作製されたランプ束３を長手方向両端部に滑り止め材４が取り付けられたダンボールパッド５上に２つ載置し、両者を伸縮性が高くて常に締付力が発生するストレッチフィルム６で締め上げて束ねることによってランプ組７を作製するようにしたため、各ランプ組７のダンボールパッド５に対する移動が確実に阻止され、輸送中の振動によって放電ランプ１が梱包箱１１内で移動してリード線１ａが曲がる等の不具合の発生が防がれる。この場合、ダンボールパッド５が横方向の振動に対してストッパの役割を果たし、梱包箱１１内でのランプ組７の移動を阻止するため、各ランプ組７に含まれる放電ランプ１のリード線１ａが梱包箱１１の内壁に衝突して曲がる等の不具合が発生することがない。
【００２０】
又、本発明によれば、摩擦抵抗を上げるために多くの部材を使用しないため、積載効率が高められて一度に輸送することができる放電ランプ１の本数が例えば従来の４００本から６００本に１．５倍に増え、輸送効率が飛躍的に高められる。因みに、図２（ｅ）に示す従来の梱包箱１１１のサイズが縦Ｌ：１４２０ｍｍ×幅Ｂ：２７０ｍｍ×高さＨ：１８０ｍｍであるのに対して、本発明方法によれば、図１（ｄ）に示す梱包箱１１のサイズを縦Ｌ：１４２０ｍｍ×幅Ｂ：２７０ｍｍ×高さＨ：１１０ｍｍと高さＨを７０ｍｍだけ低く抑えることができ、前述の積載効率の向上とも相俟って梱包箱１１の体積効率は２．４５倍（＝６００本／４００本×１８０ｍｍ／１１０ｍｍ）となった。
【００２１】
尚、本実施の形態において示した数値は一例であって、これらの数値によって本発明の適用が限定される訳ではないことは勿論である。
【符号の説明】
【００２２】
１      放電ランプ
１ａ    放電ランプのリード線
２      ストレッチフィルム
３      ランプ束
４      滑り止め材
５      ダンボールバッド
６      ストレッチフィルム
７      ランプ組
８      下パッド（ダンボールパッド）
９      中パッド（ダンボールパッド）
１０    上パッド（ダンボールパッド）
１１    梱包箱
１２    接着テープ
【図１】
2011195186.tif 000003
【図２】
2011195186.tif 000004